(57)【特許請求の範囲】
【請求項１】
面材で覆って構築された外側仮設構造及び仮設屋根、該外側仮設構造と並設してその内側に構築された内側防音壁構造、並びに該仮設屋根の防音構造を含み、施工領域を覆って外部から遮蔽する大空間仮設構造体と、
該大空間仮設構造体内部の一側に、互いに間隔を隔てて向かい合う上記外側仮設構造と上記内側防音壁構造とで区画してそれらの間に形成され、上記仮設屋根下周辺に舞い上がって滞留する塵埃を集塵して排出するために、該大空間仮設構造体の上方位置の、該外側仮設構造及び該内側防音壁構造と上記仮設屋根とを連結する立体湾曲枠組体に臨んで開口された開口部を有する吸引用ダクトと、
上記仮設屋根から吊り降ろされ、下端部が上記外側仮設構造と上記内側防音壁構造との間の上記吸引用ダクト内部に垂らし降ろされて前記開口部に設けられ、開かれて前記吸引用ダクトを前記大空間仮設構造体内部に連通させ、閉じられて該吸引用ダクトを該大空間仮設構造体内部から遮蔽する、シート材で形成された開閉可能な開閉部材と、
該吸引用ダクトが形成された上記外側仮設構造と向かい合う、上記大空間仮設構造体の他側に位置する上記外側仮設構造に形成され、外気を該大空間仮設構造体内部へ導入する外気供給口と、
導入された外気が、上記外側仮設構造及び上記内側防音壁構造と上記仮設屋根との連結箇所の上記開口部へ向かって一方向に上昇するように流れ、この流れに随伴されて、上記大空間仮設構造体内部の下方に浮遊し、また該仮設屋根下に舞い上がって滞留する塵埃が上記開口部へ向かって集中的に流れていくように、該外気供給口を有する上記外側仮設構造に向かい合う上記内側防音壁構造の下部に形成され、該外気供給口からの外気を施工領域へ導入する外気取り入れ口と、
上記大空間仮設構造体の外部に設置され、上記吸引用ダクトと接続されて、該大空間仮設構造体内部の雰囲気を吸引して施工領域を陰圧にし、施工領域で発生する塵埃を除去回収し排気する集塵機とを備えたことを特徴とする防音・集塵設備を備えた大空間仮設施設。
【請求項２】
前記開閉部材、前記外気供給口、並びに前記外気取り入れ口は、施工領域で作業の進捗に従って移動される施工箇所に対応させて複数形成されることを特徴とする請求項１に記載の防音・集塵設備を備えた大空間仮設施設。
【請求項３】
前記吸引用ダクトには、複数のダクト部に区分け可能に仕切り部材が設けられると共に、前記集塵機は、各ダクト部個々に接続するために複数設置されることを特徴とする請求項１または２に記載の防音・集塵設備を備えた大空間仮設施設。
【請求項４】
前記外側仮設構造の前記外気供給口と、前記内側防音壁構造の前記外気取り入れ口は、音が前記大空間仮設構造体外部へ透過するのを低減するために、互いに位置をずらして配置されることを特徴とする請求項１〜３いずれかの項に記載の防音・集塵設備を備えた大空間仮設施設。
【請求項５】
前記外側仮設構造の前記外気供給口には、直接音が前記大空間仮設構造体外部へ透過するのを遮るために、遮音用カバーが設けられることを特徴とする請求項１〜４いずれかの項に記載の防音・集塵設備を備えた大空間仮設施設。
【請求項６】
前記集塵機を設置する防音建屋を備えることを特徴とする請求項１〜５いずれかの項に記載の防音・集塵設備を備えた大空間仮設施設。
【発明の詳細な説明】
【技術分野】
【０００１】
本発明は、屋根下周辺に滞留する塵埃を含め、施工場所に滞留する塵埃を効率良く集塵することが可能であると共に、集塵に利用する構造を防音に兼用して簡単な構造で構成することが可能な防音・集塵設備を備えた大空間仮設施設に関する。
【背景技術】
【０００２】
建物解体現場などの施工場所を覆って構築され、施工に伴って発生する塵埃を防塵処理する大空間仮設施設として、特許文献１が知られている。特許文献１の「解体工事用の構造物、解体工事における防塵方法および解体物の処理方法。」は、粉塵や有害物の飛散を確実に防止した上で解体対象物に対し解体処理を施すことができるようにすることを課題とし、解体対象設備に対して解体処理を施すに際し、当該解体対象設備を覆う用に供する解体工事用の構造物であって、解体対象設備を取り囲んだ状態で構築される内側防塵建屋と、この内側防塵建屋を所定の隙間空間を介してさらに取り囲むように構築される外側防塵建屋と、内側防塵建屋内における解体処理により生じた粉塵の内側防塵建屋からの漏洩が防止されるように当該内側防塵建屋内の圧力調節を行う圧力調整手段とが備えられている。圧力調整手段は、内側防塵建屋のあらゆる場所から満遍なく、吸引したり、加圧するようにしている。
【先行技術文献】
【特許文献】
【０００３】
【特許文献１】特開２００３−１４７９７６号公報
【発明の概要】
【発明が解決しようとする課題】
【０００４】
建物解体現場などの施工場所で発生する塵埃は、単に空気中に舞うだけでなく、作業機機の稼働や解体作業に伴う発熱で生じる上昇気流により、上方へ舞い上がり、大空間仮設施設の屋根下周辺に密度濃く滞留することが考えられる。
【０００５】
また、この種の大空間仮設施設内で行われる各種作業で発生する騒音は、近隣に悪影響を与えないように、防音することが好ましい。
【０００６】
特許文献１に開示されている技術では、圧力調整手段により、内側防塵建屋のあらゆる場所から圧力調整を行うようにしているが、内側防塵建屋内部の全体空間を対象としているため、効率が良くないという課題があった。特に、内側防塵建屋内の上方に滞留する塵埃に対し、内側防塵建屋内にダウンフローを確保するようにして、そのような塵埃を効果的に除去できる技術とは言えなかった。さらに、特許文献１では、防音性に問題があるという課題もあった。
【０００７】
本発明は上記従来の課題に鑑みて創案されたものであって、屋根下周辺に滞留する塵埃を含め、施工場所に滞留する塵埃を効率良く集塵することが可能であると共に、集塵に利用する構造を防音に兼用して簡単な構造で構成することが可能な防音・集塵設備を備えた大空間仮設施設を提供することを目的とする。
【課題を解決するための手段】
【０００８】
本発明にかかる防音・集塵設備を備えた大空間仮設施設は、面材で覆って構築された外側仮設構造及び仮設屋根、該外側仮設構造と並設してその内側に構築された内側防音壁構造、並びに該仮設屋根の防音構造を含み、施工領域を覆って外部から遮蔽する大空間仮設構造体と、該大空間仮設構造体内部の一側に、互いに間隔を隔てて向かい合う上記外側仮設構造と上記内側防音壁構造とで区画してそれらの間に形成され、上記仮設屋根下周辺に舞い上がって滞留する塵埃を集塵して排出するために、該大空間仮設構造体の上方位置の、該外側仮設構造及び該内側防音壁構造と上記仮設屋根とを連結する立体湾曲枠組体に臨んで開口された開口部を有する吸引用ダクトと、上記仮設屋根から吊り降ろされ、下端部が上記外側仮設構造と上記内側防音壁構造との間の上記吸引用ダクト内部に垂らし降ろされて前記開口部に設けられ、開かれて前記吸引用ダクトを前記大空間仮設構造体内部に連通させ、閉じられて該吸引用ダクトを該大空間仮設構造体内部から遮蔽する、シート材で形成された開閉可能な開閉部材と、該吸引用ダクトが形成された上記外側仮設構造と向かい合う、上記大空間仮設構造体の他側に位置する上記外側仮設構造に形成され、外気を該大空間仮設構造体内部へ導入する外気供給口と、導入された外気が、上記外側仮設構造及び上記内側防音壁構造と上記仮設屋根との連結箇所の上記開口部へ向かって一方向に上昇するように流れ、この流れに随伴されて、上記大空間仮設構造体内部の下方に浮遊し、また該仮設屋根下に舞い上がって滞留する塵埃が上記開口部へ向かって集中的に流れていくように、該外気供給口を有する上記外側仮設構造に向かい合う上記内側防音壁構造の下部に形成され、該外気供給口からの外気を施工領域へ導入する外気取り入れ口と、上記大空間仮設構造体の外部に設置され、上記吸引用ダクトと接続されて、該大空間仮設構造体内部の雰囲気を吸引して施工領域を陰圧にし、施工領域で発生する塵埃を除去回収し排気する集塵機とを備えたことを特徴とする。
【００１０】
前記開閉部材、前記外気供給口、並びに前記外気取り入れ口は、施工領域で作業の進捗に従って移動される施工箇所に対応させて複数形成されることを特徴とする。
【００１１】
前記吸引用ダクトには、複数のダクト部に区分け可能に仕切り部材が設けられると共に、前記集塵機は、各ダクト部個々に接続するために複数設置されることを特徴とする。
【００１２】
前記外側仮設構造の前記外気供給口と、前記内側防音壁構造の前記外気取り入れ口は、音が前記大空間仮設構造体外部へ透過するのを低減するために、互いに位置をずらして配置されることを特徴とする。
【００１３】
前記外側仮設構造の前記外気供給口には、直接音が前記大空間仮設構造体外部へ透過するのを遮るために、遮音用カバーが設けられることを特徴とする。
【００１４】
前記集塵機を設置する防音建屋を備えることを特徴とする。
【発明の効果】
【００１５】
本発明にかかる防音・集塵設備を備えた大空間仮設施設にあっては、屋根下周辺に滞留する塵埃を含め、施工場所に滞留する塵埃を効率良く集塵することができると共に、集塵に利用する構造を防音に兼用して簡単な構造で構成することができる。詳細には、仮設屋根下周辺に舞い上がって滞留する塵埃を集塵して排出するために大空間仮設構造体の上方位置の仮設屋根近くに開口部を有する吸引用ダクトと、吸引用ダクトが形成された外側仮設構造と向かい合う、大空間仮設構造体の他側に位置する外側仮設構造に形成され、外気を大空間仮設構造体内部へ導入する外気供給口と、外気供給口を有する外側仮設構造に向かい合う内側防音壁構造の下部に形成され、外気供給口からの外気を施工領域へ導入する外気取り入れ口とによって、導入された外気が、仮設屋根付近の開口部へ向かって一方向に上昇するように流れ、この流れに随伴されて、大空間仮設構造体内部の下方に浮遊し、また仮設屋根下に舞い上がって滞留する塵埃が開口部へ向かって集中的に流れていくようにすることができる。特に、大空間仮設構造体の上方位置の、外側仮設構造及び内側防音壁構造と仮設屋根とを連結する立体湾曲枠組体に臨んで開口された開口部に、仮設屋根から吊り降ろされ、下端部が外側仮設構造と内側防音壁構造との間の吸引用ダクト内部に垂らし降ろされ、開かれて吸引用ダクトを大空間仮設構造体内部に連通させ、閉じられて吸引用ダクトを大空間仮設構造体内部から遮蔽する、シート材で形成された開閉可能な開閉部材を設けるようにしていて、このシート材でなる開閉部材は、吸引用ダクトに向かう風の流れに煽られて、開口部を開き、また風が収まると、開口部を閉じ、この場合、開口部の開きは小さく、その隙間からの騒音の漏洩を最小限に抑えることができる。言い換えれば、煽りの程度によっては開口部の開度を小さく維持できるので、良好な防音性を発揮させることができる。開閉部材は、吸引用ダクトに向かう風の流れに煽られて開閉するので、集塵機の稼働状況に応じて、自然に開き程度が変化する利点がある。
【図面の簡単な説明】
【００１６】
【図１】本発明に係る防音・集塵設備を備えた大空間仮設施設の好適な一実施形態を示す正面断面図である。
【図２】図１に示した大空間仮設施設を、施工箇所が作業の進捗に従って移動される様子と併せて示す平面図である。
【図３】図１に示した大空間仮設施設に備えられる吸引用ダクト及び開閉部材を示す要部拡大図である。
【図４】図３に示した吸引用ダクトの開口部周辺及び開閉部材を示す斜視図である。
【図５】図１に示した大空間仮設施設に備えられる外気供給口及び外気取り入れ口周辺を示す要部拡大平面図である。
【図６】図５に示した外気供給口周辺の側面図である。
【図７】本実施形態の変形例を示す、図３に対応する要部拡大図である。
【発明を実施するための形態】
【００１７】
以下に、本発明にかかる防音・集塵設備を備えた大空間仮設施設の好適な一実施形態を、添付図面を参照して詳細に説明する。図１は、本実施形態に係る防音・集塵設備を備えた大空間仮設施設の正面断面図、図２は、図１に示した大空間仮設施設を、施工箇所が作業の進捗に従って移動される様子と併せて示す平面図、図３は、図１に示した大空間仮設施設に備えられる吸引用ダクト及び開閉部材を示す要部拡大図、図４は、図３に示した吸引用ダクトの開口部周辺及び開閉部材を示す斜視図、図５は、図１に示した大空間仮設施設に備えられる外気供給口及び外気取り入れ口周辺を示す要部拡大平面図、図６は、図５に示した外気供給口周辺の側面図、図７は、本実施形態の変形例を示す、図３に対応する要部拡大図である。
【００１８】
図１及び図２に示すように、建物の解体現場などの施工領域１には、当該施工領域１を外部から遮蔽するように覆って、大空間仮設構造体２が構築される。大空間仮設構造体２は、施工領域１の周りを取り囲む外側仮設構造３及び外側仮設構造３の上に掛けられて、施工領域１を上方から閉鎖する仮設屋根４と、外側仮設構造３と並設してその内側に構築される内側防音壁構造５と、仮設屋根４の防音構造４ｅとを含んで構成される。
【００１９】
図示例では、大空間仮設構造体２の外側仮設構造３は、平面四角形状に形成されているが、これに限らず、円形状や多角形状等であってもよい。内側防音壁構造５は、外側仮設構造３の平面形態に沿って形成され、平面四角形状で形成される。仮設屋根４は、外側仮設構造３の上方開口を閉鎖できれば、どのような形態であっても良い。
【００２０】
四角形状の大空間仮設構造体２の長さ方向に沿う二辺及び幅方向に沿う二辺の各辺には、並設配置の外側仮設構造３と内側防音壁構造５とで間隙が形成され、これら四辺の間隙は、施工領域１を取り囲んで配置される。
【００２１】
本実施形態では、互いに向かい合う長さ方向に沿う二辺のうち、一方の一辺が大空間仮設構造体２内部から塵埃ｄを排出する一側（以下、排気側という）とされ、他方の一辺が大空間仮設構造体２内部へ外気を取り入れる他側（以下、給気側という）とされる。大空間仮設構造体２の排気側に位置される一辺の間隙は、後述する吸引用ダクト６として利用される。排気側の一辺に相対向して給気側に位置される一辺の間隙は、外気を取り入れるために利用される。
【００２２】
これら排気側及び給気側の間隙は図２に示すように、大空間仮設構造体２の長さ方向両端部に達し、当該両端部位置において、幅方向に沿う二辺に位置される間隙に対し、外側仮設構造３及び内側防音壁構造５の下端から上端に亘って、塞ぎ部材７で塞がれ、これにより、排気側及び給気側の間隙は、相互に分離される。なお、幅方向に沿う二辺に位置される間隙は、空所とされる。
【００２３】
また、図２には、矢印Ｓで示すように、大空間仮設構造体２内部の施工領域１で、施工箇所が作業の進捗に従って順次移動される様子が示されている（Ｘ１は施工済、Ｘ２は施工中、Ｘ３は未施工を示す）。もちろん、施工箇所の移動なしに、すなわち施工領域１全体に対して一気に作業が行われる場合もある。
【００２４】
図３に示すように、外側仮設構造３は、大空間仮設構造体２の最外側に配置され、かつ仮設用パイプ材を組み合わせて構成される平面状の仮設外側枠組３ａと、仮設外側枠組３ａの外側面全面に張られる面材３ｂとで構成される。仮設屋根４は、大空間仮設構造体２の天面に配置され、かつ仮設外側枠組３と同様に構成された平面状の仮設天面枠組４ａと、仮設天井枠組４ａの外側面全面に張られる面材４ｂとで構成される。面材３ｂ，４ｂは、養生シートなどのシート材で構成される。面材３ｂ，４ｂは、シート形態に限らず、パネル形態であっても良い。
【００２５】
これにより、施工領域１は、その全周囲が面材３ｂ，４ｂで覆われて、全天候型で常時施工可能とされる。
【００２６】
仮設屋根４はさらに、仮設天面枠組４ａの下方に、仮設用パイプ材で構成される連結材４ｃを介して、仮設天面枠組４ａと同様に構成される平面状の仮設天井枠組４ｄが設けられ、仮設天面枠組４ａと組み合わせて二重構造で構成される。仮設屋根４には、防音構造として、仮設天面枠組４ａの下側に、面材４ｂの内側面全面に亘り、防音シート材が張られる。防音パネルであっても良い。
【００２７】
図３に示すように、外側仮設構造３の内側に並設される内側防音壁構造５は、仮設外側枠組３ａの内方に、仮設用パイプ材で構成される連結材８を介して、仮設外側枠組３ａと同様に構成された仮設内側枠組５ａと、仮設内側枠組５ａの内側面全面に張られる防音パネル５ｂとで構成される。内側防音壁構造５は、外側仮設構造３と並行して、仮設屋根４近くに達する高さまで構築される。
【００２８】
これにより、防音のために、施工領域１は、その全周囲が内側防音壁構造５と仮設屋根４の防音構造４ｅとで取り囲まれる。また、仮設屋根４の仮設天面枠組４ａ及び仮設天井枠組４ｄと、外側仮設構造３及び内側防音壁構造５とは、大空間仮設構造体２の長さ方向全長に亘り、立体湾曲枠組体９を介して連結される。立体湾曲枠組体９に対しても、仮設屋根４の防音構造４ｅが拡張して施される。
【００２９】
大空間仮設構造体２の排気側には、当該大空間仮設構造体２の内部に、連結材８により互いに間隔を隔てて向かい合う外側仮設構造３と内側防音壁構造５とで区画してそれらの間に、仮設屋根４近くに開口部６ａを有する吸引用ダクト６が形成される。吸引用ダクト６及び開口部６ａは、大空間仮設構造体２の長さ方向一辺に沿って連続的に一連に形成される。
【００３０】
吸引用ダクト６の内部には図２に示すように、大空間仮設構造体２の長さ方向一辺に沿って間隔を隔てて、当該吸引用ダクト６を複数のダクト部１０に区分けする仕切り部材１１が配設される。言い換えれば、仕切り部材１１は、吸引用ダクト６を施工箇所Ｘ１〜Ｘ３の移動方向に複数に分割して、吸引用ダクト６に、移動する施工箇所Ｘ１〜Ｘ３に対応する複数のダクト部１０を形成する。
【００３１】
吸引用ダクト６の上端部であって、仮設屋根４近くの立体湾曲枠組体９に臨んで開口される開口部６ａは、大空間仮設構造体２内部から塵埃ｄを排出するために形成される。開口部６ａは、特に、仮設屋根４下周辺に舞い上がって滞留する塵埃ｄをできる限り漏れなく集塵するために、大空間仮設構造体２の上方位置に形成される。
【００３２】
開口部６ａには、開かれて吸引用ダクト６を大空間仮設構造体２内部に連通させ、閉じられて吸引用ダクト６を大空間仮設構造体２内部から遮断する開閉部材１２が設けられる。図３及び図４に示すように、開閉部材１２は、空気が流れると煽られて開口部６ａを開放し、流れが治まることで開口部６ａを封鎖する養生シートなどの柔軟なシート材で形成される。本実施形態にあっては、開閉部材１２は、仮設屋根４の防音構造４ｅを構成する防音シート材を、開口部６ａへ向かって延長することで構成されている。
【００３３】
具体的には、開閉部材１２は例えば、仮設屋根４の防音構造４ｅの防音シート材の端部を利用して、その上端部１２ａが仮設屋根４の仮設天面枠組４ａに接合して取り付けられ、仮設天面枠組４ａから垂らし降ろされる中間部１２ｂが、立体湾曲枠組体９よりも内側に位置する仮設天井枠組４ｄに対しその下方から吸引用ダクト６側へ向けて掛け回され、さらに、下端部１２ｃが、仮設天井枠組４ｄ位置よりも立体湾曲枠組体９を介して外側となる、仮設内側枠組５ａと仮設外側枠組３ａとの間、すなわち吸引用ダクト６内部に垂らし降ろされて、開口部６ａ周辺に設置される。これにより、仮設屋根４から内側防音壁構造５、すなわち外側仮設構造３に亘り、従ってまた大空間仮設構造体２全体に対して、連続的な遮音性能が確保される。
【００３４】
そして、このシート状の開閉部材１２は、仮設屋根４から吊り降ろされながら、吸引用ダクト６に向かう風の流れに煽られて、開口部６ａを開き、また風が収まると、仮設内側枠組５ａに接するように垂れて、開口部６ａを閉じるようになっている。この場合、開口部６ａの開きは小さく、その隙間からの騒音Ｎの漏洩は最小限に抑えられる。開閉部材１２は、大空間仮設構造体２の長さ方向一辺に沿って、すなわち当該一辺に沿う吸引用ダクト６の長さ方向に複数配設される。
【００３５】
より具体的には、開閉部材１２は、施工領域１での作業の進捗に従って移動される施工箇所Ｘ１〜Ｘ３に対応させて複数設けられる。開閉部材１２は、図７に示すように、仮設天井枠組４ｄに上端が回転自在に支持され、下端が仮設内側枠組５ａに当接され、手動で開け閉めされるパネル材で形成してもよい。パネル材であれ、シート材であれ、開口部６ａを閉じる機能により、大空間仮設構造体２内部から外部へ漏れ出る騒音Ｎを遮断する防音性が確保される。
【００３６】
大空間仮設構造体２の給気側には、図１及び図２に示すように、外気を大空間仮設構造体２内部へ導入するために、吸引用ダクト６が形成される外側仮設構造３と向かい合う、当該外側仮設構造３とは反対側に位置する外側仮設構造３を貫通形成して、外気供給口１３が設けられる。外気供給口１３を有する外側仮設構造３に向かい合う内側防音壁構造５には、これを貫通して、外気供給口１３からの外気を施工領域１へ導入する外気取り入れ口１４が形成される。
【００３７】
従って、外気は、大空間仮設構造体２の給気側から、外気供給口１３及び外気取り入れ口１４を通じて、施工領域１、すなわち大空間仮設構造体２内部に取り込まれる。外気取り入れ口１４は、内側防音壁構造５の下部に形成することが好ましい。
【００３８】
外側仮設構造３の外気供給口１３と、内側防音壁構造５の外気取り入れ口１４は、大空間仮設構造体２内部の騒音Ｎが外部へ透過するのを低減するために、左右方向もしくは上下方向、あるいは斜め方向に互いに位置をずらして配置される。
【００３９】
外気取り入れ口１４は、開閉部材１２の設置態様と同様に、施工領域１での作業の進捗に従って移動される施工箇所Ｘ１〜Ｘ３に対応させるために、大空間仮設構造体２の長さ方向一辺に沿って複数形成される。外気供給口１３も、移動される施工箇所Ｘ１〜Ｘ３に対応させるために、当該外気取り入れ口１４の複数配置に対応させて、大空間仮設構造体２の長さ方向一辺に沿って複数形成される。
【００４０】
図５及び図６に示すように、外気供給口１３には、大空間仮設構造体２内部の騒音Ｎが直接外部へ透過するのを遮るために、遮音用カバー１５が設けられる。
【００４１】
具体的には、遮音用カバー１５は、外気供給口１３から外側へ突出させて設置された一対の迫り出し壁部１５ａと、平面コ字状に形成され、一対の迫り出し壁部１５ａ及び迫り出し壁１５ａ周辺の外側仮設構造３との間に通気空間を保持しつつ、当該迫り出し壁部１５ａの周りを包囲する包囲壁部１５ｂと、これら包囲壁部１５ｂ上及び迫り出し壁部１５ａ上を一連に塞ぐ迫り出し屋根部１５ｃとから構成される。遮音用カバー１５全体も、仮設用パイプ材で構成されるフレームに、養生シートなどのシート材を張ることで構成される。
【００４２】
これにより、大空間仮設構造体２の内部は、外気供給口１３を介して、包囲壁部１５ｂに面し、大空間仮設構造体２の外部は、迫り出し壁部１５ａに面することとなり、騒音Ｎの直接的な外部漏洩が防止される。遮音用カバー１５を設置する場合には、外気供給口１３と外気取り入れ口１４は、相互に見通せるように、同じ位置に形成するようにしてもよい。また、外気供給口１３と外気取り入れ口１４は、ダクト等で直接接続するようにしても良い。
【００４３】
上述した吸引用ダクト６には、大空間仮設構造体２の外部に設置した集塵機１６が接続される。集塵機１６は、吸引用ダクト６を通じて大空間仮設構造体２内部の雰囲気を吸引し、その吸引作用で施工領域１を陰圧にする。そして、施工領域１に発生する塵埃ｄを、吸引用ダクト６を通じて吸引し、当該塵埃ｄを回収除去すると共に、大空間仮設構造体２外部へ排気する。
【００４４】
本実施形態では、吸引用ダクト６が仕切り部材１１で複数のダクト部１０に区分けされていて、これに対応して集塵機１６は複数台設置され、各集塵機１６が各ダクト部１０に、個々に接続される。集塵機１６も騒音源であるため、集塵機１６は、防音建屋１７内部に設置される。
【００４５】
次に、本実施形態に係る防音・集塵設備を備えた大空間仮設施設の作用について説明する。大空間仮設構造体２内部で発生する騒音Ｎの外部への放出は、内側防音壁構造５ｂ及び仮設屋根４の防音構造４ｅで低減できると同時に、外気供給口１３の遮音用カバー１５、並びに開口部６ａを閉じる開閉部材１２によって低減できる。また、集塵機１６の騒音も、防音建屋１７によって低減できる。
【００４６】
他方、舞い上がって仮設屋根４下周辺に滞留する塵埃ｄを含め、大空間仮設構造体２内部で発生した塵埃ｄは、集塵機１６による吸引作用で施工領域１から除去できる。排気側で集塵機１６が稼働されると、その陰圧が吸引用ダクト６を介して大空間仮設構造体２内部に作用し、給気側では、外気供給口１３から外気取り入れ口１４を介して外気が施工領域１へ導入される。
【００４７】
導入された外気は、仮設屋根４付近に位置される開口部６ａへ向かって一方向に上昇するように流れ（矢印Ｆで示す）、この流れに随伴されて、大空間仮設構造体２内部の下方に浮遊し、また仮設屋根４下に舞い上がって滞留する塵埃ｄが開口部６ａへ向かって集中的に流れていく。
【００４８】
開口部６ａを開閉する開閉部材１２は、養生シートや防音シートのようなシート材であれば、風に煽られて開口部６ａを開き、あるいはパネル材であれば、手動等で回動されて開口部６ａを開き、これにより塵埃ｄは吸引用ダクト６へと導かれる。シート材の場合には、煽りの程度によっては開口部６ａの開度を小さく維持できるので、良好な防音性も発揮させることができる。
【００４９】
吸引用ダクト６を介して集塵機１６に達した塵埃ｄは、当該集塵機１６で回収除去され、清浄化された空気が外部へ排気される。
【００５０】
本実施形態では、施工領域１での作業の進捗に従って移動される施工箇所Ｘ１〜Ｘ３に対応させて、吸引用ダクト６の開口部６ａを開閉する開閉部材１２、外気供給口１３並びに外気取り入れ口１４を備えているので、施工済あるいは未施工の箇所に対する集塵を行うことなく、塵埃ｄの発生が顕著な施工中の施工箇所に対応するダクト部１０の開口部６ａを開き、それに対応する集塵機１６を稼働し、またそれに対応する外気供給口１３及び外気取り入れ口１４から効率良く外気を取り入れることができるので、省エネルギーで効果的な集塵を行うことができる。
【００５１】
施工箇所が移動したときには、開いていた開閉部材１２を閉じて、移動位置の開閉部材１２を開き、また稼働中の集塵機１６の停止と停止中の集塵機１６の起動を行うなどによって、集塵範囲を移動することができる。また、開閉部材１２が、シート材である場合は、吸引用ダクト６に向かう風の流れに煽られて開閉するので、集塵機１６の稼働状況に応じて、自然に開き程度が変化する利点がある。
【００５２】
以上説明した本実施形態に係る防音・集塵設備を備えた大空間仮設施設にあっては、面材３ｂ，４ｂで覆って構築された外側仮設構造３及び仮設屋根４、外側仮設構造３と並設してその内側に構築された内側防音壁構造５、並びに仮設屋根４の防音構造４ｅを含み、施工領域１を覆って外部から遮蔽する大空間仮設構造体２と、大空間仮設構造体２内部の排気側に、互いに間隔を隔てて向かい合う外側仮設構造３と内側防音壁構造５とで区画してそれらの間に形成され、仮設屋根４近くに開口部６ａを有する吸引用ダクト６と、大空間仮設構造体２の給気側に位置する外側仮設構造３に形成され、外気を大空間仮設構造体２内部へ導入する外気供給口１３と、外気供給口１３を有する外側仮設構造３に向かい合う内側防音壁構造５に形成され、外気供給口１３からの外気を施工領域１へ導入する外気取り入れ口１４と、大空間仮設構造体２の外部に設置され、吸引用ダクト６と接続されて、大空間仮設構造体２内部の雰囲気を吸引して施工領域１を陰圧にし、施工領域１で発生する塵埃ｄを除去回収し排気する集塵機１６とを備えたので、仮設屋根４下周辺に舞い上がって滞留する塵埃ｄを含め、施工領域１に滞留する塵埃ｄをきわめて効率良く集塵することができると共に、仮設内側枠組５ａに防音パネル５ｂを張ることによって、集塵に利用する構造を防音に兼用して簡単な構造で構成することができる。
【００５３】
開口部６ａに、開かれて吸引用ダクト６を大空間仮設構造体２内部に連通させ、閉じられて吸引用ダクト６を大空間仮設構造体２内部から遮蔽する開閉可能な開閉部材１２を設けたので、防音性能を向上することができる。
【００５４】
開閉部材１２、外気供給口１３、並びに外気取り入れ口１４を、施工領域１で作業の進捗に従って移動される施工箇所Ｘ１〜Ｘ３に対応させて複数形成したので、塵埃密度の高い場所から集中的に集塵することができると同時に、集塵を行わない箇所を外部から封鎖して、防音性能を高めることができる。
【００５５】
吸引用ダクト６には、複数のダクト部１０に区分け可能に仕切り部材１１が設けられると共に、集塵機１６は、各ダクト部１０個々に接続するために複数設置されるので、塵埃密度の高い場所から集中的に集塵することができると同時に、不必要な集塵を行わないようにして、省エネルギー化を確保することができる。
【００５６】
外側仮設構造３の外気供給口１３と、内側防音壁構造５の外気取り入れ口１４は、騒音Ｎが大空間仮設構造体２外部へ透過するのを低減するために、互いに位置をずらして配置されるので、防音効果を向上することができる。外側仮設構造３の外気供給口１３には、直接騒音Ｎが大空間仮設構造体２外部へ透過するのを遮るために、遮音用カバー１５が設けられるので、防音効果を向上することができる。集塵機１６を設置する防音建屋１７を備えたので、防音効果を向上することができる。
【００５７】
給気側を、機械式強制給気としないので、大空間仮設構造体２内部を常に負圧に保持することができ、大空間仮設構造体２の外部への塵埃ｄの放出を確実に防ぐことができる。
【００５８】
以上説明した本実施形態では、大空間仮設構造体２内部を区分して集塵する場合について説明したが、大空間仮設構造体２内部を一括して集塵するようにしてもよいことはもちろんである。この場合、吸引用ダクト６を分ける仕切り部材１１は省略してもよく、また、開閉部材１２や、外気取り入れ口１４、外気供給口１３、集塵機１６は単一であってもよい。開閉部材１２のシート材としては、垂れ下がるように設置する場合を説明したが、手動等で巻き上げて開口部６ａを開くようにしてもよい。開口部６ａのうち、施工箇所周辺以外の領域については、開閉部材１２がシート材である場合、仮設内側枠組５ａに仮固定するなどして、封鎖状態を確保できるようにしても良い。外気取り入れ口１４には、導入される外気が上向き流れとなるように、ルーバーを設けたり、当該外気取り入れ口１４自体を上向きに形成してもよい。
【符号の説明】
【００５９】
１  施工領域
２  大空間仮設構造体
３  外側仮設構造
４  仮設屋根
３ｂ，４ｂ  面材
５  内側防音壁構造
６  吸引用ダクト
６ａ  開口部
１０  ダクト部
１１  仕切り部材
１２  開閉部材
１３  外気供給口
１４  外気取り入れ口
１５  遮音用カバー
１６  集塵機
１７  防音建屋
ｄ  塵埃
Ｎ  騒音
Ｘ１〜Ｘ３  施工箇所
【図１】
0006647791.tif 000002
【図２】
0006647791.tif 000003
【図３】
0006647791.tif 000004
【図４】
0006647791.tif 000005
【図５】
0006647791.tif 000006
【図６】
0006647791.tif 000007
【図７】
0006647791.tif 000008